(57)【要約】      （修正有）【課題】放射性廃棄物は放射される放射線を利用して発電する方法を提供する。【解決手段】水を封入したタンクの中に放射性廃棄物を沈め、水が放射線により、水分子を電離させるので、そこから電子を引き寄せて発電する。【選択図】図１
2019086500.tif 000002
【特許請求の範囲】
【請求項１】
タンクの中に放射性廃棄物を封入して水に沈め、タンク内が正電荷の高電圧になるので、その電圧を利用して、水が放射線により、水分子を電離させるので、そこから電子を引き寄せて発電する。
負極と正極の間の回路は、現存の高電圧線を利用するので、抵抗率で電流量を抑え、直流なので、交流に変換して送電する。
直流の送電が可能であれば、変換しないで送電する。
【発明の詳細な説明】
【技術分野】
【０００１】  本発明は放射性廃棄物の処理に関する
【背景技術】
【０００２】  現在放射性廃棄物処理は、地下埋設などで、半減期を待って、自然浄化を待つしかなく、この待機時に発電して、エネルギーを供給しながら自然浄化を待つ
【先行文献】
【０００３】  モーズリーの放射線による高電圧の測定実験より
【発明の概要】
【発明が解決しようとする課題】
【０００４】  放射性廃棄物処理で、放射線による環境汚染問題
【課題を解決するための手段】
【０００５】  放射線を発する放射性廃棄物をタンクに封入し水に沈めて放射線を遮断して、タンク内が正電荷の高電圧になることを利用して、回路を組み、水が放射線により電離する事を利用して、発電する。放射性廃棄物が、半減期を待つ間中発電して、電気エネルギーを得ながら安定を待つ。
【発明の効果】
【０００６】  地下埋設などで、ただ待つしかなかった処理に、放射線エネルギーを電気エネルギーに変換しながら、放射性物質の安定元素へと変換を待つ事が出来る。水によって放射線を遮断出来るので
【発明を実施するための形態】
【０００７】  放射性廃棄物をタンクに封入して、水タンクなどに沈めて放射線を遮断し、高電圧から回路を構築して、直流を交流に変えて、送電し、抵抗率より電流量を抑えて、タンクよりの放射線で水が電離するので、その電離より電子を引き寄せて、発電プラントとする。
【産業上の利用の可能性】
【０００８】  原子力発電などの放射性廃棄物処理や、廃炉などによる廃棄物処理などに利用出来る。
発電プラントであり、電気エネルギー供給に寄与する。
【図１】
2019086500.tif 000003
【手続補正書】
【提出日】平成30年2月19日(2018.2.19)
【手続補正２】
【補正対象書類名】明細書
【補正対象項目名】全文
【補正方法】変更
【補正の内容】
【発明の詳細な説明】
【技術分野】
【０００１】  本発明は放射性廃棄物の処理に関する
【背景技術】
【０００２】  現在放射性廃棄物処理は、地下埋設などで、、半減期を待って、自然浄化を待つしかなく、この待機時に発電して、エネルギーを供給しながら自然浄化を待つ
【先行文献】
【０００３】  モーズリーの高電圧の測定実験より
【発明の概要】
【発明が解決しようとする課題】
【０００４】  放射性廃棄物処理で、放射線による環境汚染問題
【課題を解決するための手段】
【０００５】  放射線を発する放射性廃棄物をタンクに封入し水に沈めて放射線を遮断して、タンク内が正電荷の高電圧になることを利用して、回路を組み、水が放射線により電離する事を利用して、発電する。放射性廃棄物が、半減期を待つ間中発電して、電気エネルギーを得ながら安定を待つ。
【発明の効果】
【０００６】  地下埋設などで、ただ待つしかなかった処理に、放射線エネルギーを電気エネルギーに変換しながら、放射性物質の安定元素へと変換を待つ事ができる。水によって放射線を遮断出来るので
【発明を実施するための形態】
【０００７】  放射性廃棄物をタンクに封入して、水タンクなどに沈めて放射線を遮断し、高電圧から回路を構築して、直流を交流に変換し、送電し、抵抗率より電流を抑えて、タンクよりの放射線で水が電離するので、その電離より電子を引き寄せて、発電プラントとする。
【産業上の利用の可能性】
【０００８】  原子力発電などの放射性廃棄物処理や、廃炉などによる廃棄物処理などに利用出来る。
発電プラントであり、電気エネルギー供給に寄与する。
【図面の簡単な説明】
【０００９】  図面は、発電の流れと、装置の基本的考え方をイメージしたもので、廃棄物タンクは絶縁体で密閉して、導体棒より導線へ、電気回路を経て、水タンクよりへ導体棒へと、直流の電池の原理の発電装置を示す図である。
【手続補正書】
【提出日】平成30年9月14日(2018.9.14)
【手続補正１】
【補正対象書類名】特許請求の範囲
【補正対象項目名】請求項１
【補正方法】変更
【補正の内容】
【請求項１】
タンクの中に放射性廃棄物を封入して水に沈め、タンク内が正電荷の高電圧になるので、その電圧を利用して、水が放射線により、負に帯電するので、そこから電子を引き寄せて発電する。
【手続補正２】
【補正対象書類名】明細書
【補正対象項目名】全文
【補正方法】変更
【補正の内容】
【発明の詳細な説明】
【技術分野】
【０００１】  本発明は放射性廃棄物の処理に関する
【背景技術】
【０００２】  現在放射性廃棄物処理は、地下埋設などで、、半減期を待って、自然浄化を待つしかなく、この待機時に発電して、エネルギーを供給しながら自然浄化を待つ
【先行文献】
【０００３】  モーズリーの高電圧の測定実験より
【発明の概要】
【発明が解決しようとする課題】
【０００４】  放射性廃棄物処理で、放射線による環境汚染問題
【課題を解決するための手段】
【０００５】  放射線を発する放射性廃棄物をタンクに封入し水に沈めて放射線を放出させて、タンク内が正電荷の高電圧になることを利用して、回路を組み、水が放射線により負に帯電する事を利用して、発電する。放射性廃棄物が、半減期を待つ間中発電して、電気エネルギーを得ながら安定を待つ。
【発明の効果】
【０００６】  地下埋設などで、ただ待つしかなかった処理に、放射線エネルギーを電気エネルギーに変換しながら、放射性物質の安定元素へと変換を待つ事ができる。水によって放射線を遮断出来るので
【発明を実施するための形態】
【０００７】  放射性廃棄物をタンクに封入して、水タンクなどに沈めて放射線を放出し、高電圧から回路を構築して、直流を交流に変換し、送電し、抵抗率より電流を抑えて、タンクよりの放射線で水が負に帯電するので、電子を引き寄せて、発電プラントとする。
【産業上の利用の可能性】
【０００８】  原子力発電などの放射性廃棄物処理や、廃炉などによる廃棄物処理などに利用出来る。  発電プラントであり、電気エネルギー供給に寄与する。
【図面の簡単な説明】
【０００９】  図面は、発電の流れと、装置の基本的考え方をイメージしたもので、廃棄物タンクは絶縁体で密閉して、導体棒より導線へ、電気回路を経て、水タンクよりへ導体棒へと、直流の電池の原理の発電装置を示す図である。
【手続補正書】
【提出日】平成30年9月19日(2018.9.19)
【手続補正１】
【補正対象書類名】特許請求の範囲
【補正対象項目名】請求項１
【補正方法】変更
【補正の内容】
【請求項１】
タンクの中に放射性廃棄物を封入して水に沈め、タンク内が正電荷の高電圧になるので、その電圧を利用して、タンク導体が放射線により、負に帯電するので、そこから電子を引き寄せて発電する。
【手続補正２】
【補正対象書類名】明細書
【補正対象項目名】全文
【補正方法】変更
【補正の内容】
【発明の詳細な説明】
【技術分野】
【０００１】  本発明は放射性廃棄物の処理に関する
【背景技術】
【０００２】  現在放射性廃棄物処理は、地下埋設などで、半減期を待って、自然浄化を待つしかなく、この待機時に発電して、エネルギーを供給しながら自然浄化を待つ
【先行文献】
【０００３】  モーズリーの高電圧の測定実験より
【発明の概要】
【発明が解決しようとする課題】
【０００４】  放射性廃棄物処理で、放射線による環境汚染問題
【課題を解決するための手段】
【０００５】  放射線を発する放射性廃棄物をタンクに封入し水に沈めて放射線を放出させて、タンク内が正電荷の高電圧になることを利用して、回路を組み、タンク導体が放射線により負に帯電する事を利用して、発電する。放射性廃棄物が、半減期を待つ間中発電して、電気エネルギーを得ながら安定を待つ。
【発明の効果】
【０００６】  地下埋設などで、ただ待つしかなかった処理に、放射線エネルギーを電気エネルギーに変換しながら、放射性物質の安定元素へと変換を待つ事ができる。水によって放射線を遮断出来るので
【発明を実施するための形態】
【０００７】  放射性廃棄物をタンクに封入して、水タンクなどに沈めて放射線を放出し、高電圧から回路を構築して、直流を交流に変換し、送電し、抵抗率より電流を抑えて、タンク内部よりの放射線でタンク導体が負に帯電するので、その電子を引き寄せて、発電プラントとする。
【産業上の利用の可能性】
【０００８】  原子力発電などの放射性廃棄物処理や、廃炉などによる廃棄物処理などに利用出来る。
発電プラントであり、電気エネルギー供給に寄与する。
【図面の簡単な説明】
【０００９】  図面は、発電の流れと、装置の基本的考え方をイメージしたもので、廃棄物タンクは絶縁体で密閉して、導体棒より導線へ、電気回路を経て、タンク導体より導体棒へと、直流の電池の原理の発電装置を示す図である。
【手続補正３】
【補正対象書類名】図面
【補正対象項目名】全図
【補正方法】変更
【補正の内容】
【図１】
2019086500.tif 000004